(57)【要約】【課題】  ネットワーク上にある表示デバイスを備えた機器を指定する際、選択元機器から各表示デバイスに表示情報を送り、選択元機器の操作者が視覚的な各機器の指定を可能にする。【解決手段】  選択元の機器からネットワーク上の各表示デバイスにアイコンなどの識別子を送り、操作者が表示デバイスを視覚的に容易に選択できるようにする。【選択図】  図１
2006259837.tif 000002
【特許請求の範囲】
【請求項１】
ネットワークで接続された複数台の情報処理装置において、
第一の情報処理装置は、ネットワーク上で一意に識別可能な第一の識別子と、
他の情報処理装置からの問い合わせに対し自身のもつ前記第一の識別子を返す識別子回答機能と、
ネットワーク上の他の機器から送られた出力情報を出力する出力機能とを備え、
第二の情報処理装置は、ユーザが操作する操作装置と、
操作装置の操作に対応付けられた第二の識別子と、
前記識別子回答機能を利用しネットワーク上の機器を検出する機器検出機能と、
ネットワーク上の他の機器へ出力情報を送信する出力情報送信機能と
前記機器検出機能により取得した前記第一の情報処理装置の前記第一の識別子を前記第二の識別子に一対一に対応付けた第一の識別子対応情報とを備え、
前記第二の情報処理装置は、
前記第一の識別子識別子対応情報で前記第二の識別子に対応付けられた前記第一の情報処理装置へ前記出力情報送信機能を利用し出力情報を送信し、
選択対象を確認しながらネットワーク機器を選択する選択機能を提供する事を特徴とする情報処理装置。
【請求項２】
請求項１記載の情報処理装置において、
前記第二の情報処理装置は、各前記操作装置に対応付けられた画像と同じ画像を表現する画像情報と、
前記第二の識別子を前記画像情報に一対一に対応付けた第二の識別子対応情報とを備え、
前記出力情報は、前記画像情報であり、
前記出力情報送信機能は、前記第二の識別子に対応付けられた前記第一の情報処理装置に対し、前記第二の識別子に対応付けられた前記画像情報を送る事を特徴とする情報処理装置。
【請求項３】
請求項２記載の情報処理装置において、
前記出力情報送信機能は、前記機器検出機能により検出した全ての前記第一の情報処理装置に対し、前記画像情報を送る事を特徴とする情報処理装置。
【請求項４】
請求項１または２記載の情報処理装置において、
前記出力情報送信機能は、前記操作装置の操作により選択された前記第二の識別子に対応する前記第一の情報処理装置に対し出力情報を送る事を特徴とする情報処理装置。
【請求項５】
請求項３または４記載の情報処理装置において、
前記選択機能は、前記第一の情報処理装置の備える前記出力機能が表示した前記画像情報と同じ画像が描かれた前記操作装置からの入力に対し、前記画像情報に対応付けられた前記第一の識別子を取得する事を特徴とする情報処理装置。
【請求項６】
請求項４記載の情報処理装置において、
前記選択機能は、前記操作装置の入力に対し、最後に前記出力情報送信機能を利用し前記出力情報を送信した前記第一の情報処理装置の前記第一の識別子を取得する事を特徴とする情報処理装置。
【請求項７】
請求項６記載の情報処理装置において、
前記第二の情報処理装置は、前記操作装置の入力に対し、前記機器検出機能により検出した全ての前記第一の情報処理装置に対し、前記出力情報を送る事を特徴とする情報処理装置。
【発明の詳細な説明】
【技術分野】
【０００１】
本発明はネットワーク上の機器の指定を容易にする情報処理装置に関する。
【背景技術】
【０００２】
ネットワーク上の機器・サービスを識別する方法として、従来よりＩＰ（Internet Protocol）アドレスやＵＲＩ等を識別子として利用する事が一般的であり、また、近年ではネットワーク上の機器を検索し、各機器の識別子を取得する技術が提案されている（例えば、非特許文献１、非特許文献２）。このような方法で取得した識別子は、識別子を利用する機器の表示デバイス（例えば、液晶画面）に表示し利用される事が一般的である（例えば、［特許文献１］参照）。
【０００３】
以下、特許文献について説明する。特許文献１は複数台のプリンタで印刷が可能な環境において、自動的に印刷要求をプリンタに割り振るための技術である。印刷要求がどのプリンタに割り振られたのかをユーザに通知するために、印刷要求を受理したプリンタの識別子をユーザが操作する機器のディスプレイへ表示する事が本文献による提案である。
【０００４】
しかし、従来の技術で利用されている識別子は複数の文字・数字などから構成され、また、その識別子は識別子を利用する機器の入力機能とは関連の無い情報が利用される。このため、識別子を利用するには識別子の入力・選択過程を確認するための表示デバイスが必要であった。実際には、識別子の入力を処理するアプリケーションを利用して複数の文字・数字の入力を受け付けるか、識別子の選択候補を表示デバイスに表示し、選択する操作を受け付けるアプリケーションを利用する必要があった。また、そのようなアプリケーションを利用するために、ディスプレイ選択前に利用していたアプリケーションを中断する必要もあった。
【０００５】
仮にＰＣのようなキーボードが利用可能な機器で表示デバイスを利用せずに識別子を入力する事は可能ではあるが、入力状況を確認することが出来ないため、入力ミスなどの状況へ対処する手段を持つ事が困難となり、現実的な方法ではない。また、デジタルカメラやプリンタなど、キーボードを持たない機器ではそれまでに利用していたアプリケーションを中断し、液晶画面を識別子選択用アプリケーションの管理下へ起き、利用可能な識別子の一覧を液晶画面に表示し、カーソルキーで選択するといった方法を利用しなければ識別子を入力、又は選択する事ができない。
【０００６】
このように、従来のように既に与えられている識別子を利用するためには、それまでに利用していたアプリケーションを中断し、表示デバイスを識別子選択用に利用する必要があった。
【特許文献１】特開２０００−３３０７４９号公報（第４頁、図１）
【非特許文献１】「UPnP」、UPnP Forum、http://www.upnp.org/
【非特許文献２】「SIP」、IETF、http://www.ietf.org/html.charters/sip-charter.html
【発明の開示】
【発明が解決しようとする課題】
【０００７】
従来、データの入力機器と出力機器が直接接続される事で入力機器は出力機器を特定していた。しかし、今後、入出力機器間がネットワークで接続され、また、そのネットワーク上の複数の入出力機器が接続される環境になると、入力機器はデータを出力するための出力機器を指定する手段を別途備えなければならない。
【０００８】
規模の大きいオフィスなど複数のプリンタが配置されている環境は現在では一般的になっている。従来、このような環境ではパソコンから接続手続きを行うため、先に述べた従来の機器指定方法をユーザの操作しやすい方法で実現する事ができた。
【０００９】
このような環境でデジタルカメラなどの操作・表示装置がパソコンほど汎用的ではない機器をネットワークに直接つなげ、パソコンと同様にプリンタを利用できる環境を構築しようとすると、デジタルカメラなどにパソコンと同様の汎用的な操作・表示機能が必要となってしまう。しかし、実際には容積・処理能力等の資源の限られた機器にそれだけの機能を載せるためには撮影用プログラムや撮影画像確認用プログラムなどの実行中のプログラムを一時的に停止し、表示装置を機器選択用プログラムに明け渡し、更にデジタルカメラの操作装置を利用し従来の機器選択操作を行わなければならなかった。操作・表示装置がパソコンより劣る分、非常に操作性の悪い環境になってしまう。
【００１０】
また、液晶ディスプレイ等の表示装置が各家庭に複数台置かれる環境も一般的となっており、また、将来各部屋に複数台設置されるような環境実現されるようになる。このような表示装置が全てネットワークに直接接続され、デジタルカメラで撮影した画像を表示装置を指定して表示するような場合にも、上記のような表示装置を選択する操作が必要になり、ユーザは操作性の悪い環境を強いられる事となる。
【００１１】
このような状況を鑑み、ユーザがより容易に利用する機器を指定する手段を提供する必要があった。
【００１２】
本発明の目的は、上記のような環境において複雑な操作・多くの情報が表示された表示パネルを利用する事なく、単純な操作で、かつ、視覚的に確認しなが利用する機器を指定するようなネットワーク機器指定方法を情報処理装置を提供する事である。
【課題を解決するための手段】
【００１３】
このような課題を解決するために、本願の請求項１に記載の情報処理装置は、ネットワークで接続された複数台の情報処理装置において、第一の情報処理装置が、ネットワーク上で一意に識別可能な第一の識別子と、他の情報処理装置からの問い合わせに対し自身のもつ前記第一の識別子を返す識別子回答機能と、ネットワーク上の他の機器から送られた出力情報を出力する出力機能と、を備え、第二の情報処理装置が、ユーザが操作する操作装置と、操作装置の操作に対応付けられた第二の識別子と、前記識別子回答機能を利用しネットワーク上の機器を検出する機器検出機能と、ネットワーク上の他の機器へ出力情報を送信する出力情報送信機能と前記機器検出機能により取得した前記第一の情報処理装置の前記第一の識別子を前記第二の識別子に一対一に対応付けた第一の識別子対応情報と
を備え、前記第二の情報処理装置が、前記第一の識別子識別子対応情報で前記第二の識別子に対応付けられた前記第一の情報処理装置へ前記出力情報送信機能を利用し出力情報を送信する事を特徴とする。
【００１４】
また、本願の請求項２に記載の情報処理装置は前記第二の情報処理装置が、各前記操作装置に対応付けられた画像と同じ画像を表現する画像情報と、前記第二の識別子を前記画像情報に一対一に対応付けた第二の識別子対応情報とを備え、前記出力情報はが、前記画像情報であり、前記出力情報送信機能が、前記第二の識別子に対応付けられた前記第一の情報処理装置に対し、前記第二の識別子に対応付けられた前記画像情報を送る事を特徴とする。
【００１５】
また、本願の請求項３に記載の情報処理装置は、前記出力情報送信機能が、前記機器検出機能により検出した全ての前記第一の情報処理装置に対し、前記画像情報を送る事を特徴とする。
【００１６】
また、本願の請求項４に記載の情報処理装置は、前記出力情報送信機能が、前記操作装置の操作により選択された前記第二の識別子に対応する前記第一の情報処理装置に対し出力情報を送る事を特徴とする。
【００１７】
また、本願の請求項５に記載の情報処理装置は、前記第二の情報処理装置が、前記第一の情報処理装置の備える前記出力機能が表示した前記画像情報と同じ画像が描かれた前記操作装置からの入力に対し、前記画像情報に対応付けられた前記第一の識別子を取得する事を特徴とする。
【００１８】
また、本願の請求項６記載の情報処理装置は、前記第二の情報処理装置が、前記操作装置の入力に対し、最後に前記出力情報送信機能を利用し前記出力情報を送信した前記第一の情報処理装置の前記第一の識別子を取得する事を特徴とする。
【００１９】
また、本願の請求項７記載の情報処理装置は、前記第二の情報処理装置が、前記操作装置の入力に対し、前記機器検出機能により検出した全ての前記第一の情報処理装置に対し、前記出力情報を送る事を特徴とする。
【発明の効果】
【００２０】
本発明によれば、表示デバイスを占有する事なく、ネットワーク上の機器の指定を機器のハードウェアキーのみで容易に行う事が可能となる。
【発明を実施するための最良の形態】
【００２１】
以下、添付の図面に沿って本発を実施するための最良の形態を説明する。
【００２２】
＜実施形態１＞
図１は本発明を利用するシステムの全体構成を示す。ネットワーク１０５には複数台のディスプレイ１０２〜１０４が接続されており、各ディスプレイにはネットワーク上で一意に識別されるＩＰアドレスが割り振られている。デジタルカメラ１０１も同様にネットワーク１０５に接続され、ネットワーク上の他の機器と情報を交換する。
【００２３】
図２はネットワーク１０５に接続された各機器の構成図を示す。図１の各機器１０１〜１０４は図２の各機能２０１〜２０８の一部、又は全てを備える。各機器は本実施形態で述べる処理を実装したプログラムをＲＯＭ２０２内に格納する。ＣＰＵ２０１はＲＯＭ２０２に格納されたプログラムに従い、動的に変更されるデータをＲＡＭへ書き込み、他の機能とのデータの交換を行う。各機器はネットワークｉ／ｆ２０７を備え、ネットワーク上の他の機器と情報を交換する。また、ネットワークｉ／ｆ２０７はネットワーク上の他の機器を検出し、そのＩＰアドレスを取得する機能を有する。ディスプレイ１０２〜１０４の表示部２０６は記憶部２０４・ＲＡＭ２０３・ＲＯＭ２０２に格納された、又はネットワークｉ／ｆ２０７から取得したデータを表示する機能を持つ。デジタルカメラ１０１はセンサ部２０８から入力した画像を記憶部２０４へ保存し、又はネットワークｉ／ｆ２０７を介して他の機器へ送る機能を備える。また、デジタルカメラ１０１は記憶部２０４・ＲＡＭ２０３・ＲＯＭ２０２に格納されたデータをネットワークｉ／ｆ２０７を介して他の機器へ送る機能を備える。
【００２４】
図３はデジタルカメラ１０１の操作部２０５を示す。デジタルカメラ１０１は、ボタン３０１とダイヤル３０８を備える。ボタン３０１は押される度にディスプレイ選択状態と通常処理状態を切り換える。ダイヤル３０８は、アイコン３０２〜３０７が描かれており、各アイコンに対応付けられた６種類の情報の入力が可能となっている。デジタルカメラ１０１はダイヤル３０８からの各入力をデジタルカメラ内で一意に識別できるハードウェアＩＤとして取得する。デジタルカメラ１０１はアイコン３０２〜３０７と同じ画像を表現する画像情報をＲＯＭ２０２内に記憶しており、図４に示すアイコン３０２〜３０７とハードウェアＩＤとの対応表をＲＡＭ２０３に生成する。
【００２５】
本実施形態では、デジタルカメラのユーザが、利用するディスプレイを選択し、デジタルカメラとディスプレイとの接続を確立する。
【００２６】
ユーザは、ボタン３０１を押す事でデジタルカメラ１０１に対し付近のディスプレイの検出を指示する。デジタルカメラ１０１は図５に示すプロセスに従い、検出したディスプレイにハードウェアＩＤを割り当てる。以下、処理の詳細を図５を利用して説明する。
【００２７】
デジタルカメラ１０１はネットワークｉ／ｆ２０７を利用しネットワーク上の機器の検出を行う。（Ｓ５０１）。検出要求を受け取ったディスプレイは自身の持つＩＰアドレスをデジタルカメラへ送る（説明図は省略）。本実施形態では、ネットワーク１０５に３つのディスプレイ１０２〜１０４が接続されているので、デジタルカメラ１０１はディスプレイ１０２〜１０４のＩＰアドレス“１７２．２３．４５．１１”・“１７２．２３．４５．２２９”・“１７２．２３．４５．２９”を得る。
【００２８】
デジタルカメラ１０１は取得したＩＰアドレスを順に図４の対応表のＩＰアドレスの項に設定する（Ｓ５０３）。結果、図６に示す識別子対応情報が生成される。
【００２９】
図６の識別子対応情報では各ハードウェアＩＤ・アイコン３０２〜３０７。ディスプレイ１０２〜１０４のＩＰアドレスとの対応情報が格納される。
【００３０】
最後に、デジタルカメラ１０１は検出した各ディスプレイに対応する画像情報を図６の識別子対応情報から取得し、各ディスプレイへ送信する（Ｓ５０４）。なお、本実施例では該当しないが、検出したディスプレイの数がデジタルカメラ１０１のハードウェアＩＤの数よりも多い場合など、図６の識別子対応情報に全てのＩＰアドレスが設定できないと判断した場合（Ｓ５０２）は、条件を絞り込むようユーザへ報告し（Ｓ５０５）、新たな条件で再度機器検出を行う（Ｓ５０１）。
【００３１】
ステップＳ５０４により画像情報を受け取ったディスプレイ１０２〜１０４はそれぞれの表示部２０６へ画像情報を表示する。その結果を図７〜図９に示す。
【００３２】
以下、ディスプレイ１０２〜１０４に画像情報が表示された状態から、実際に利用開始までの処理を図１０・図１１を利用して説明する。
【００３３】
ユーザは図１０のプロセスに従い利用するディスプレイを指定する。ユーザは画像情報が表示されたディスプレイ１０２〜１０４から利用を希望するディスプレイを選択し（Ｓ１００１、Ｓ１００２）、その表示部２０６に表示された画像を認識する（Ｓ１００３）。そして、デジタルカメラ１０１のダイヤル３０８よりその画像と対応付けられるハードウェアキーを選択する（Ｓ１００４）。
【００３４】
ユーザがディスプレイ１０３を選択した場合は、ディスプレイ１０３の表示部２０６にはアイコン３０２が表示されているので、ユーザはダイヤル３０８を回転させ、同じアイコン３０２を選択し、ボタン３０１を押す事で選択を決定する。
【００３５】
一方、デジタルカメラ１０１はステップＳ１００４によって図１１のプロセスに従い利用するディスプレイとの接続手続きを行う。デジタルカメラ１０１はユーザによって回転されたダイヤル３０８よりハードウェアＩＤを取得し、それに対応するＩＰアドレスを取得する（Ｓ１１０１、Ｓ１１０２）。後は従来技術であるＩＰアドレスを利用した利用開始手続きに移行する（Ｓ１１０３）。移行後の処理に関しては本提案の範囲外のため、本実施形態では触れない事とする。
【００３６】
以上の処理を行う事で、ユーザはデジタルカメラ１０１に備えられた操作部２０５を利用するだけで利用したいディスプレイを指定する事が可能となる。従来の技術では、ＩＰアドレスをデジタルカメラ１０１の表示部２０６に表示させてディスプレイの選択手続きを行う事になるが、本提案を利用する事でボタン３０１とダイヤル３０８のみで選択手続きを行う事が可能となる。
【００３７】
＜実施形態２＞
図１２は本発明を利用するシステムの全体構成を示す。ネットワーク１２０５には表示パネル１２０２ａ〜１２０４ａを持つ複数台のプリンタ１２０２〜１２０４が接続されており、各プリンタにはネットワーク上で一意に識別されるＩＰアドレスが割り振られている。デジタルカメラ１２０１も同様にネットワーク１０５に接続され、ネットワーク上の他の機器と情報を交換する。
【００３８】
図１３はネットワーク１２０５に接続された各機器の構成図を示す。図１２の各機器１２０１〜１２０４は図１３の各機能１３０１〜１３０９の一部、又は全てを備える。各機能の説明は第１の実施形態の図２の構成に加え、プリンタ１２０２〜１２０４にはネットワークｉ／ｆ１３０７・センサ部１３０８・記憶部１３０４・ＲＡＭ１３０３のデータを印刷するプリント部１３０９が備えられている。
【００３９】
図１４はデジタルカメラ１２０１の操作部１３０５を示す。デジタルカメラ１２０１は、ボタン１４０１とカーソルキー１４０３を備える。ボタン１４０１は押される度にディスプレイ選択状態と通常処理状態とを切り換える。カーソルキー１４０３は、左右を含め複数の方向が可能となっている。また、デジタルカメラ１２０１は表示部１３０６として液晶パネル１４０２を備え、通常処理状態におけるアプリケーションの情報を表示する。本実施形態では、デジタルカメラのユーザが、利用するプリンタを選択し、デジタルカメラとプリンタとの接続を確立する。
【００４０】
ユーザは、ボタン１４０１を押す事でデジタルカメラ１２０１に対し付近のプリンタの検出を指示する。デジタルカメラ１２０１は図１５に示すプロセスに従い、検出した順に、各プリンタにシリアル番号を割り当てる。以下、処理の詳細を図１５を利用して説明する。デジタルカメラ１２０１はネットワークｉ／ｆ１３０７を利用しネットワーク上の機器の検出を行う（Ｓ１５０１）。検出要求を受け取ったプリンタ１２０２〜１２０４は自身の持つＩＰアドレスをデジタルカメラへ送る（説明図は省略）。本実施形態ではネットワーク１２０５上に３台のプリンタ１２０２〜１２０４が接続されており、各プリンタはそれぞれ“１９２．１６８．１．３”、“１９２．１６８．１．２２”、“１９２．１６８．１．７７”が割り当てられているので、デジタルカメラ１２０１はそれら３つのＩＰアドレスを得る。デジタルカメラ１２０１は取得したＩＰアドレスに対し、順にシリアル番号を割り当て、図１６に示す識別子対応情報を生成する（Ｓ１５０３）。
【００４１】
なお、本実施例では該当しないが、検出したプリンタの台数がデジタルカメラ１２０１の割り当て可能シリアル番号数よりも多い場合など、図１６の識別子対応情報に全てのＩＰアドレスが設定できないと判断した場合（Ｓ１５０２）は、条件を絞り込むようユーザへ報告し（Ｓ１５０４）、新たな条件で再度機器検索を行う（Ｓ１５０１）。
【００４２】
以下、図１６の識別子対応情報の生成が終わった状態から、実際に利用開始までの処理を図１７・図１８を利用して説明する。ユーザは図１７のプロセスに従い利用するプリンタを指定する。図１９に示す位置にユーザがおり、ユーザは部屋１９０１にいるものとする。ユーザが部屋１９０１にあるプリンタからプリンタ１２０３を選択した場合（Ｓ１７０１）、ユーザはプリンタ１２０３に備えられた表示パネル１２０３ａを確認しながら、デジタルカメラ１２０１のカーソルキー１４０３のボタンを繰り返し押す（Ｓ１７０２）。
【００４３】
デジタルカメラ１２０１はユーザの操作に応じ（Ｓ１８０１）、ユーザがカーソルキーの左右を押す度に指定するシリアル番号を１つずつ増減させる（Ｓ１８０２）。更に、現在のシリアル番号に対応したＩＰアドレスを持つ機器に対し、出力命令として画面点滅命令を送信する（Ｓ１８０４、Ｓ１８０５）。
【００４４】
最初にカーソル１４０３が押された直後のシリアル番号の初期値が１とすると、デジタルカメラ１２０１は図１６の識別子対応情報取得したＩＰアドレス“１９２．１６８．１．３”に対し画面点滅命令を送信し、次に右ボタンが押されるとシリアル番号を２とし、ＩＰアドレス“１９２．１６８．１．２２”に対し同様に画面点滅命令を送信する。なお、今回は出力命令として画面点滅命令を送る例としたが、デジタルカメラ自信のＩＰアドレスや画像情報などデジタルカメラがプリンタを認識・選択していることをユーザが認識できる情報も利用する事ができる。
【００４５】
デジタルカメラが順にプリンタの画面を点滅させる（Ｓ１８０２・Ｓ１８０４・Ｓ１８０５）と、右ボタンを２回押す事でユーザはプリンタ１２０３の表示パネル１２０３ａが点滅している事が確認出来る（Ｓ１７０２）ので、次にデジタルカメラ１２０１のボタン１４０１を押して利用するプリンタを確定する（Ｓ１７０３）。
【００４６】
ユーザにボタン１４０１を押された事に対応し（Ｓ１８０６）、デジタルカメラ１２０１はユーザの利用するプリンタ１２０３を認識する。最後に、ステップＳ１８０２で取得していたＩＰアドレスに対し、従来技術の利用開始手続きへ移行する。移行後の処理に関しては、本提案の範囲外のため、本実施形態では触れない事とする。以上の処理を行う事で、ユーザはデジタルカメラ１２０１に備えられた操作部１３０５を利用するだけで利用したいプリンタを指定する事が可能となる。
【図面の簡単な説明】
【００４７】
【図１】第１の実施形態におけるネットワーク構成図
【図２】第１の実施形態における機器内部の構成図
【図３】第１の実施形態におけるデジタルカメラの操作部
【図４】第１の実施形態における対応表
【図５】第１の実施形態におけるデジタルカメラの機器検出フローチャート
【図６】第１の実施形態における識別子対応情報
【図７】第１の実施形態におけるディスプレイの表示例
【図８】第１の実施形態におけるディスプレイの表示例
【図９】第１の実施形態におけるディスプレイの表示例
【図１０】第１の実施形態におけるユーザのデジタルカメラ操作フローチャート
【図１１】第１の実施形態におけるデジタルカメラの機器指定フローチャート
【図１２】第２の実施形態におけるネットワーク構成図
【図１３】第２の実施形態における機器内部の構成図
【図１４】第２の実施形態におけるデジタルカメラの操作部
【図１５】第２の実施形態におけるデジタルカメラの機器検出フローチャート
【図１６】第２の実施形態における識別子対応情報
【図１７】第２の実施形態におけるユーザのデジタルカメラ操作フローチャート
【図１８】第２の実施形態におけるデジタルカメラの機器指定フローチャート
【図１９】第２の実施形態における機器配置図
【符号の説明】
【００４８】
１０１  デジタルカメラ
１０２〜１０４  ディスプレイ
１０５  ネットワーク
２０１  ＣＰＵ
２０２  ＲＯＭ
２０３  ＲＡＭ
２０４  記憶部
２０５  操作部
２０６  表示部
２０７  ネットワークｉ／ｆ
２０８  センサ部
３０１  ボタン
３０２〜３０７  アイコン
３０８  ダイヤル
１２０１  デジタルカメラ
１２０２〜１２０４  プリンタ
１２０２ａ〜１２０４ａ  表示パネル
１２０５  ネットワーク
１３０１  ＣＰＵ
１３０２  ＲＡＭ
１３０３  ＲＯＭ
１３０４  記憶部
１３０５  操作部
１３０６  表示部
１３０７  ネットワークｉ／ｆ
１３０８  センサ部
１３０９  プリント部
１４０１  ボタン
１４０２  液晶パネル
１４０３  カーソル
１９０１、１９０２  部屋
【図１】
2006259837.tif 000003
【図２】
2006259837.tif 000004
【図３】
2006259837.tif 000005
【図４】
2006259837.tif 000006
【図５】
2006259837.tif 000007
【図６】
2006259837.tif 000008
【図７】
2006259837.tif 000009
【図８】
2006259837.tif 000010
【図９】
2006259837.tif 000011
【図１０】
2006259837.tif 000012
【図１１】
2006259837.tif 000013
【図１２】
2006259837.tif 000014
【図１３】
2006259837.tif 000015
【図１４】
2006259837.tif 000016
【図１５】
2006259837.tif 000017
【図１６】
2006259837.tif 000018
【図１７】
2006259837.tif 000019
【図１８】
2006259837.tif 000020
【図１９】
2006259837.tif 000021